(57)【要約】【課題】カバー部にハンドセットの置き台が取り付けられている画像形成装置において、カバー部を開放して傾斜した場合にハンドセットが載置部から落下しない簡素な構成を提供する。また、カバー部を開放していく角度に関係なく落下防止機能を発揮できるようにする。【解決手段】基部２と、この基部２に対して回転軸２ａ周りに傾斜可能であるカバー部３と、このカバー部３に取り付けられる置き台１１と、この置き台１１の載置部上に載置可能とされるハンドセット１０と、を備えた画像形成装置であって、回転軸２ａと平行に第２の回転軸１１ａを設定して、置き台１１をカバー部３に対して第２の回転軸１１ａ周りに回転自在に構成し、カバー部３を基部２に対して傾斜させた時に、置き台１１の載置部を水平状態に維持可能に構成した。好ましくは、置き台１０の下部に錘１３を取り付ける。【選択図】図１
2008034941.tif 000002
【特許請求の範囲】
【請求項１】
基部と、この基部に対して回転軸周りに傾斜可能であるカバー部と、このカバー部に取り付けられる置き台と、この置き台の載置部上に載置可能とされるハンドセットと、を備えた画像形成装置であって、
前記回転軸と平行に第２の回転軸を設定して、前記置き台をカバー部に対して第２の回転軸周りに回転自在に構成し、カバー部を基部に対して傾斜させた時に、置き台の載置部を水平状態に維持可能に構成したことを特徴とする画像形成装置。
【請求項２】
前記置き台の下部に錘を取り付けていることを特徴とする請求項１に記載の画像形成装置。
【請求項３】
前記カバー部に固定されると共に、前記第２の回転軸が設定される置き台支持体を設け、カバー部を基部に対して傾斜させた時に、置き台支持体がハンドセットの落下を防止する状態に移動することを特徴とする請求項１又は２に記載の画像形成装置。
【請求項４】
基部と、この基部に対して回転軸周りに傾斜可能であるカバー部と、このカバー部に固定される置き台と、この置き台の載置部上に載置可能とされるハンドセットと、を備えた画像形成装置であって、
前記回転軸と並行に第２の回転軸を設定して、落下防止体を置き台に対して第２の回転軸周りに回転可能に構成し、カバー部を基部に対して傾斜させた時に、落下防止体がハンドセットの落下を防止する状態に移動することを特徴とする画像形成装置。
【請求項５】
前記落下防止体の下部に錘を取り付けていることを特徴とする請求項４に記載の画像形成装置。
【発明の詳細な説明】
【技術分野】
【０００１】
本発明は、基部と、この基部に対して回転軸周りに傾斜可能であるカバー部と、このカバー部に取り付けられる置き台と、この置き台の載置部上に載置可能とされるハンドセットと、を備えた画像形成装置に関するものである。
【背景技術】
【０００２】
従来から、電話機のハンドセット（受話器）が付設された構成の画像形成装置（ファクシミリ装置、デジタル複合機など）が知られている。画像形成装置の構造は、大きく、基部とカバー部に分けることができる。画像形成装置の基部には、記録紙の収容部と搬送機構、トナーカートリッジなどが設けられており、記録紙のジャム処理やトナーカートリッジの交換作業を適宜行う必要がある。そのために、カバー部を基部に対して回転軸周りに回転可能に支持している。また、ハンドセットは、画像形成装置のカバー部に固定された置き台の載置部上に載置されるように構成されている。ハンドセットの置き台をカバー部に取り付けるのは、ハンドセットの操作を行ないやすくするためである。
【０００３】
かかる構成によれば、カバー部を開放した時にカバー部が回転軸周りに傾斜した状態になるため、置き台も同じく傾斜した姿勢となる。そうすると、載置部に載置されたハンドセットが載置部から落下してしまうという問題が生じる。このような問題を解決した従来技術として、下記特許文献１に開示されるハンドセットの取付構造が知られている。
【０００４】
特許文献１の画像形成装置は、開閉可能なフロント扉（カバー部に相当）にハンドセットの置き台が設けられており、置き台がスプリングにより回転可能に軸支されている。フロント扉を開放した時に、スプリングの付勢力が開放され、置き台が回転して載置部を水平な状態になるようにしている。フロント扉を閉じている時は、スプリングの付勢力に抗して置き台が所定の姿勢に保持されるように構成されている。
【０００５】
【特許文献１】特開平１０−１２６４７２号公報
【発明の開示】
【発明が解決しようとする課題】
【０００６】
かかる従来技術によれば、フロント扉を開放した時に、置き台の載置部を水平に設定することができるが、次のような課題を有する。すなわち、載置部を水平に維持することができるのは、フロント扉を決められた角度だけ回転させたときであり、その角度以外の場合は水平状態にならない。従って、フロント扉を開放して所定の角度に到達するまでは水平状態ではなく、角度によっては不安定な状態もありうる。また、スプリングを使用する構成であるため、組み立て工程が煩雑化する恐れを有している。
【０００７】
本発明は上記実情に鑑みてなされたものであり、その課題は、カバー部にハンドセットの置き台が取り付けられている画像形成装置において、カバー部を開放して傾斜した場合にハンドセットが載置部から落下しない簡素な構成を提供することである。また、カバー部を開放していく角度に関係なく落下防止機能を発揮できるようにすることである。
【課題を解決するための手段】
【０００８】
上記課題を解決するため本発明に係る画像形成装置は、
基部と、この基部に対して回転軸周りに傾斜可能であるカバー部と、このカバー部に取り付けられる置き台と、この置き台の載置部上に載置可能とされるハンドセットと、を備えた画像形成装置であって、
前記回転軸と平行に第２の回転軸を設定して、前記置き台をカバー部に対して第２の回転軸周りに回転自在に構成し、カバー部を基部に対して傾斜させた時に、置き台の載置部を水平状態に維持可能に構成したことを特徴とするものである。
【０００９】
この構成による画像形成装置の作用・効果について説明する。カバー部には、ハンドセットが載置可能な置き台が取り付けられている。カバー部の基部に対する回転軸と平行に第２の回転軸が設定される。置き台は、この第２の回転軸周りに回転自在にカバー部に支持される。メンテナンス等のためにカバー部を基部に対して開放して傾斜させても、置き台が第２の回転軸周りに回転するため置き台の載置部は水平姿勢に維持される。つまり、置き台とこれに搭載したハンドセットの自重の作用により、カバー部の傾斜状態に関わらず、置き台は同じ姿勢（安定した姿勢）を取るように作用する。これにより、カバー部の開放工程の全域において、常時安定した姿勢を取ることができる。また、スプリングを使用せず部材の自重の作用を利用するものであるから、構成も簡素であり、組立工程が煩雑化することもない。
【００１０】
本発明において、前記置き台の下部に錘を取り付けることが好ましい。
【００１１】
かかる錘を下部に取り付けることにより、重心位置を下げることができ、より安定した水平姿勢を維持させることができる。
【００１２】
本発明において、カバー部に固定されると共に、第２の回転軸が設定される置き台支持体を設け、カバー部を基部に対して傾斜させた時に、置き台支持体がハンドセットの落下を防止する状態に移動することが好ましい。
【００１３】
この構成によれば、カバー部に置き台支持体を固定し、この置き台支持体に第２の回転軸が設定される。カバー部を傾斜させると、カバー部に固定された置き台支持体も一体に回転軸周りに回転する。この時、置き台支持体のハンドセットに対する相対的な位置関係が変わり、置き台支持体がハンドセットの落下を防止する状態に移動する。これにより、更に確実にハンドセットの落下を防止することができる。
【００１４】
上記課題を解決するため本発明に係る別の画像形成装置は、
基部と、この基部に対して回転軸周りに傾斜可能であるカバー部と、このカバー部に固定される置き台と、この置き台の載置部上に載置可能とされるハンドセットと、を備えた画像形成装置であって、
前記回転軸と並行に第２の回転軸を設定して、落下防止体を置き台に対して第２の回転軸周りに回転可能に構成し、カバー部を基部に対して傾斜させた時に、落下防止体がハンドセットの落下を防止する状態に移動することを特徴とするものである。
【００１５】
この構成による画像形成装置の作用・効果について説明する。カバー部には、ハンドセットが載置可能な置き台が固定されている。カバー部の基部に対する回転軸と平行に第２の回転軸が設定される。落下防止体が、この第２の回転軸周りに回転自在に置き台に支持される。メンテナンス等のためにカバー部を基部に対して開放して傾斜させると置き台の載置部も共に傾斜する。しかし、落下防止体は、置き台に対して第２の回転軸周りに回転するため、カバー部の姿勢に関わらず所定の姿勢に維持される。つまり、落下防止体自身の自重の作用により、カバー部及び置き台の傾斜状態に関わらず、落下防止体は同じ姿勢（安定した姿勢）を取るように作用する。従って、ハンドセットと落下防止体との相対的な位置関係がカバー部を開放することで変動し、落下防止体がハンドセットの落下を防止する状態に移動する。かかる構成は、スプリングを使用せず落下防止体の自重の作用を利用するものであるから、構成も簡素であり、組立工程が煩雑化することもない。
【００１６】
本発明において、落下防止体の下部に錘を取り付けていることが好ましい。
【００１７】
かかる錘を下部に取り付けることにより、重心位置を下げることができ、落下防止体の姿勢をより安定させることができる。
【発明を実施するための最良の形態】
【００１８】
本発明に係る画像形成装置の好適な実施形態を図面を用いて説明する。図１は画像形成装置の一例であるファクシミリ装置１の外観構成を示す図であり、カバー部を閉鎖した状態を示している。図２は、図１に示すファクシミリ装置でカバー部を開放した状態を示す外観図である。図１，図２は、ファクシミリ装置の前面側を示す図であり、図１，２の紙面に垂直な方向を装置の前後方向、図１，２の紙面に沿った上下方向を装置の上下方向、図１，２の紙面に沿った左右方向を装置の左右方向と定義する。
【００１９】
＜ファクシミリ装置の全体構成＞
このファクシミリ装置１は、給紙装置４、プリンタ装置５、スキャナーケーシング６、自動原稿搬送装置（以下、ＡＤＦと省略）７を備えている。更に、スキャナーケーシング６の前側に配置される操作パネル８、スキャナーケーシング６の左側に配置されるハンドセットユニット９が備えられている。以下、ファクシミリ装置１に設けられる各装置の構成を概略的に説明する。
【００２０】
プリンタ装置５は、イメージデータを記録紙上に記録するための装置である。このプリンタ装置５内には、ファクシミリ通信回路部、電話通信回路部が内蔵されている。給紙装置４は、プリンタ装置５に記録紙を供給するための装置である。
【００２１】
スキャナーケーシング６内には、スキャナー装置が内蔵されている。スキャナー装置は、原稿画像を読み取って、その原稿画像の電子的なイメージデータを作成する装置である。ＡＤＦ７は、原稿を搬送して、スキャナーケーシング６内のスキャナー装置が有する読み取り部を原稿の各部が通過するようにさせる装置である。
【００２２】
操作パネル８には、ファクシミリ装置１が備える各機能を作動させるためのユーザーの操作入力手段（キー等で構成）や、ファクシミリ装置１の作動状況を表示するための画像出力手段（表示ディスプレイ）が備えられている。ハンドセットユニット９を構成するハンドセット１０は、電話の受話器であり、電話通信における音声入力手段及び音声出力手段を構成するものである。
【００２３】
ここに図示するファクシミリ装置１は、構造的に、給紙装置４、プリンタ装置５などを有する基部２と、スキャナーケーシング６、ＡＤＦ７、操作パネル８、ハンドセットユニット９などを有するカバー部３とに分けることができる。カバー部３は、基部２に対して回転軸２ａ周りに回転可能に支持されている。図２に示すように、カバー部３を回転軸２ａ回りに回転させると、カバー部３が傾斜した状態になり、基部２の上方が開放されてプリンタ装置５等の内部が露出する。このとき、プリンタ装置５における記録紙のジャム処理やプリンタ装置５内に配置されるトナーカートリッジの交換、ドラムカートリッジの交換などのメンテナンスを行なうことができる。
【００２４】
カバー部３の回転中心である回転軸２ａは、基部２の左側の上部よりに配置されており、前後方向に伸びた軸となっている。カバー部３の右端部が上下方向に移動するように、カバー部３が基部２に対して開放するように構成される。以下の説明において、図１に示すようにカバー部３を基部２に対して閉じた状態をカバー部３の閉鎖状態とする。逆にカバー部３を基部２に対して傾斜させて、基部２の上部が開放した状態をカバー部３の開放状態とする。図２に示す状態は、カバー部３が最大限開放された時の開放状態を示している。
【００２５】
＜ハンドセットユニットの構成（第１実施形態）＞
次に、第１実施形態に係るハンドセットユニット９の構成を説明する。図３（ａ）はハンドセットユニットを前方から見た正面図、（ｂ）は上方から見た平面図、（ｃ）はカバー部３を開放状態にした時の状態を示す正面図である。なお、ハンドセットユニット９はオプションとして用意されるものであり、カバー部３に対する取り付け・取り外しは自在である。
【００２６】
ちなみに、ハンドセットユニット９をファクシミリ装置１の左側上部に配置しているのは次の理由による。すなわち、ハンドセット１０を使用する場合は、通常左手でハンドセット１０を握り、右手で前面の操作パネル８を操作する関係上、図示の位置が操作上好ましい位置となる。また、ファクシミリ装置１の基部２の左側には、プリンタ装置５や給紙装置４が配置されるため、この位置に置くことは難しく、操作上でも問題がある。従って、図示のようにカバー部３の左側にハンドセットユニット９が配置されている。
【００２７】
カバー部３の左側側面部にハンドセットユニット９が取り付けられており、カバー部３を閉鎖状態から開放状態に移動させて傾斜させると、ハンドセットユニット９も同じように傾斜した状態になろうとする。この時に、ハンドセット１０が置き台から落下しないような構造が採用されている。
【００２８】
ハンドセット１０を載置する載置部を有する置き台１１が置き台支持体１２に対して回転自在に支持されている。置き台支持体１２は、前後方向視で略Ｌ字形を有しており、カバー部３の左側側部に固定されている。図３（ｂ）に示すように、置き台支持体１２は前後方向に２箇所支持腕１２ａが突出しており、その先端部において置き台１１が回転自在に支持される。置き台１１の回転軸１１ａ（第２の回転軸に相当）はカバー部３の回転軸２ａと平行になるように設定されており、回転軸２ａから比較的近い位置に配置される。なお、回転軸１１ａは置き台支持体１２の側に形成してもよい。置き台１１の下面には錘１３が取り付けられている。錘１３は、適宜の金属塊を用いることができる。
【００２９】
図３（ａ）に示すカバー部３の閉鎖状態において、置き台１１の載置部は水平になっており、ハンドセット１０も水平状態に保持されている。カバー部３を開放状態にすると、カバー部３が傾斜し、これと一体の置き台支持体１２も傾斜する。しかし、置き台１１は置き台支持体１２に対して回転自在に支持されているので、置き台１１は水平状態が維持される。すなわち、置き台１１、ハンドセット１０、錘１３の自重の作用により、水平状態が維持される。従って、置き台１１に搭載されるハンドセット１０も水平状態に維持されるため、ハンドセット１０が落下することがない。特に、置き台１１の下部に錘１３を取り付けているので、安定して水平状態を維持可能である。
【００３０】
ただし、本発明としては、錘１３は必ずしも必要なく、ハンドセット１０や置き台１１自身の自重により、水平状態が維持可能である。錘１３を取り付けることで、全体の重心を下方向にすることができ、姿勢を安定させることができる。また、錘１３の有無に関わらず、重心の位置は回転軸１１ａよりも下方向に設定することが好ましい。
【００３１】
以上のように構成することで、ハンドセット１０の落下を確実に防止することができる。また、バネなどの部材が必要なく、組立工程も簡素化できており、コスト的な利点を有している。また、錘１３を取り付けることで、カバー部３を開放する時により軽い力で開放することができ、操作性が向上する。これは、以下説明するほかの実施形態に関しても言えることである。
【００３２】
＜ハンドセットユニットの構成（第２実施形態）＞
次に、第２実施形態に係るハンドセットユニット９の構成を図４により説明する。図３の第１実施形態と同じ機能をする部分については、同じ図番を付しており、第１実施形態と異なる点を中心に説明する。
【００３３】
置き台支持体１２は、一対の支持腕１２ａと、支持腕１２ａ同士を連結する支持腕連結部１２ｂと、カバー部３に対して固定される固定部１２ｃとが一体形成されている。置き台１１は置き台支持体１２に対して回転自在に支持されている。従って、図４（ｃ）に示すように、カバー部３を開放状態にしても、第１実施形態と同様にハンドセット１０の水平状態は維持される。また、カバー部３が傾斜すると、置き台支持体１２は回転軸１１ａ周りに反時計方向に回転する形になり、支持腕連結部１２ｂがハンドセット１０の上に覆いかぶさってくる。従って、ハンドセット１０が置き台１１から脱落しない状態となる。かかる機能を付加することで、より落下しにくい構造を提供可能になる。この実施形態においても、錘１３の有無は任意である。
【００３４】
＜ハンドセットユニットの構成（第３実施形態）＞
次に、第３実施形態に係るハンドセットユニット９の構成を図５により説明する。図５（ａ）はハンドセットユニットを前方から見た正面図、（ｂ）は左側方から見た側面図、（ｃ）はカバー部３を開放状態にした時の状態を示す正面図である。他の実施形態と同じ機能をする部分については、同じ図番を付しており、他の実施形態と異なる点を中心に説明する。
【００３５】
置き台１１は、取り付け部１１ｂにより、カバー部３に対して固定されている。従って、カバー部３が傾斜すると置き台１１も傾斜する構造となっている。置き台１１に対して回転軸１４ａ（第２の回転軸に相当）周りに回転自在に落下防止体１４が取り付けられている。落下防止体１４は、前後方向視で、回転軸１４ａに対して左方向に突出した係止部１４ｂと、回転軸１４ａに対して下方向に突出した錘支持部１４ｃとが一体形成されている。係止部１４ｂは上方に伸びる突出部を有しており、カバー部３の閉鎖状態において、この突出部とハンドセット１０との間に隙間が形成されている。従って、係止部１４ｂの存在に関わらず、ハンドセット１０を取り出しやすくしている。錘支持部１４ｃの下方には錘１５が取り付けられている。落下防止体１４は、図５（ｂ）に示すように、前後方向の中央部に配置されている。ただし、落下防止体１４の構成はこれに限定されるものではなく、種々の変形例が考えられる。例えば、落下防止体１４は１箇所でなく複数個所に配置してもよい。落下防止体１４の前後方向の幅は、図示の大きさに限定されるものではなく、幅広にしてもよい。
【００３６】
カバー部３を開放状態にすると、図５（ｂ）に示すように、置き台１１とハンドセット１０も傾斜した状態になる。しかし、落下防止体１４は置き台１１に対して回転自在に支持されているので、カバー部３の傾斜状態に関係なく、同じ姿勢を維持することができる。これにより、ハンドセット１０の左側側部に落下防止体１４の係止部１４ｂが当接し、ハンドセット１０の落下が防止される。
【００３７】
＜その他の実施形態＞
本発明に係る画像形成装置のファクシミリ装置については、本実施形態の構造に限定されるものではない。本実施形態では、固定された回転軸２ａの周りにカバー部３が回転する構造であるが、回転軸２ａが固定されない構造の場合にも本発明は含まれる。例えば、リンク機構を介してカバー部３を開放状態にする構造の場合にも本発明は適用可能である。
【００３８】
本実施形態のファクシミリ装置１は、原稿読み取り方式がＡＤＦ７により読み取るシート・フィード・タイプのみを有する構造であるが、読取センサーが副走査方向に移動することで原稿画像を読み取るフラット・ベッド・タイプの構造を備えた構造であってもよい。この場合、スキャナーケーシング６の上面に原稿の載置台となるコンタクトガラスが設けられると共に、載置台表面を開閉するプラテンカバー（原稿押え板）が開閉自在に設けられることになる。かかる場合は、比較的開閉頻度が多く、開閉角度も比較的大きなものになるプラテンカバーは避けて、スキャナーケーシング本体（プラテンカバーを除く部位）にハンドセットユニット９を取り付けることが好ましい。
【図面の簡単な説明】
【００３９】
【図１】ファクシミリ装置の外観構成を示す図（カバー部を閉鎖した状態）
【図２】ファクシミリ装置の外観構成を示す図（カバー部を開放した状態）
【図３】第１実施形態に係るハンドセットユニットの構成を示す図
【図４】第２実施形態に係るハンドセットユニットの構成を示す図
【図５】第３実施形態に係るハンドセットユニットの構成を示す図
【符号の説明】
【００４０】
１        ファクシミリ装置
２        基部
２ａ      回転軸
３        カバー部
９        ハンドセットユニット
１０      ハンドセット
１１      置き台
１１ａ    回転軸（第２の回転軸）
１２      置き台支持体
１３      錘
１４      落下防止体
１４ａ    回転軸
【図１】
2008034941.tif 000003
【図２】
2008034941.tif 000004
【図３】
2008034941.tif 000005
【図４】
2008034941.tif 000006
【図５】
2008034941.tif 000007